(57)【要約】【課題】短時間で歯に付着した歯垢やタバコのヤニなどを取ることができる歯ブラシを開発する。【解決手段】歯ブラシの毛を、多数の研磨材粒子を混入しその研磨剤粒子の一部が毛の表面に露出しているもの、又は表面に多数の研磨材粒子を付着させたものとする。研磨材を有する毛で歯を直接磨くので、有害な化学成分を含む歯磨き剤を用いることなく、短時間で綺麗に歯垢やヤニを落とすことができる。【選択図】      図１
0003154000.tif 000002
【実用新案登録請求の範囲】
【請求項１】
柄の先端部に多数の毛を植毛した歯ブラシにおいて、その毛のうちの全部又は一部の毛を、多数の研磨材粒子が混入され、その研磨剤粒子の一部が前記毛の表面に露出しているものとしたことを特徴とする歯ブラシ。
【請求項２】
柄の先端部に多数の毛を植毛した歯ブラシにおいて、その毛のうちの全部又は一部の毛を、表面に多数の研磨材粒子を付着させたものとしたことを特徴とする歯ブラシ。
【請求項３】
前記研磨剤のモース硬度が５〜１０である請求項１又は２に記載の歯ブラシ。
【請求項４】
前記歯ブラシが電動歯ブラシである請求項１〜３のいずれかに記載の歯ブラシ。
【考案の詳細な説明】
【技術分野】
【０００１】
本考案は、歯磨きや口腔内の清掃に使用する歯ブラシに関する。
【背景技術】
【０００２】
従来の歯ブラシは、例えば図１，２に示すように、細長い柄の先端に多数の毛が複数の毛束に分かれて植毛されている。１個の毛束は１０本〜数１０本の毛からなり、毛の太さは直径０．１〜０．３５ｍｍ程度である。毛の材質は、馬毛、豚毛などの天然素材や、ナイロン、アセチル樹脂、ポリエステルなどの高分子素材が用いられる。
歯のブラッシングは、通常、歯ブラシのブラシ部分に歯磨き剤を付けて行われる。
歯磨き剤には、界面活性剤、研磨剤、殺菌剤などの薬剤が含まれる。
【考案の概要】
【考案が解決しようとする課題】
【０００３】
歯磨き剤に含まれる研磨剤は超微粒子であり、粒径は数μｍ、ないしは１μｍ以下の場合もあり、超微粒子であるため研磨効果が小さく、歯に付着した歯垢やタバコのヤニなどを取るには時間がかかる。
また、歯磨き剤に含まれる化学物質（ラウリル硫酸ナトリウムなど）には有害であるといわれているものもあり、口内炎などの疾患を発症する危険がある。
【０００４】
本考案は、短時間で歯に付着した歯垢やタバコのヤニなどを取ることができる歯ブラシを開発することを課題とする。
また、危険性のある歯磨き剤を使用することなく、歯垢やタバコのヤニなどを取ることができる歯ブラシを開発することを課題とする。
【課題を解決するための手段】
【０００５】
〔請求項１〕
本考案は、柄の先端部に多数の毛を植毛した歯ブラシにおいて、その毛のうちの全部又は一部の毛を、多数の研磨材粒子が混入され、その研磨剤粒子の一部が前記毛の表面に露出しているものとしたことを特徴とする歯ブラシである。
【０００６】
〔請求項２〕
また本考案は、柄の先端部に多数の毛を植毛した歯ブラシにおいて、その毛のうちの全部又は一部の毛を、表面に多数の研磨材粒子を付着させたものとしたことを特徴とする歯ブラシである。
【０００７】
〔請求項３〕
また本考案は、前記研磨剤のモース硬度が５〜１０である請求項１又は２に記載の歯ブラシである。
【０００８】
〔請求項４〕
また本考案は、前記歯ブラシが電動歯ブラシである請求項１〜３のいずれかに記載の歯ブラシである。
【考案の効果】
【０００９】
本考案の歯ブラシは、研磨材を有する毛で歯を直接磨くものであるから、有害な化学成分を含む歯磨き剤を用いることなく、短時間で綺麗に歯垢やヤニを落とすことができる。
また、このような歯磨き剤を用いたとしても、歯磨きを短時間で終了できるので、化学物質により受ける害を少なくできる。
【図面の簡単な説明】
【００１０】
【図１】毛１の断面図である。
【図２】毛２の断面図である。
【図３】歯ブラシＡの要部側面図である。
【図４】歯ブラシＡの要部平面図である。
【図５】歯ブラシＢの要部平面図である。
【図６】歯ブラシＣの要部平面図である。
【考案を実施するための形態】
【実施例】
【００１１】
図１は、本考案の歯ブラシに使用する毛１の断面図である。
毛１の中には多数の研磨材粒子３が混入され、研磨剤粒子３の一部が毛１の表面に露出している。
毛１の素材は、ナイロン、アセチル樹脂、ポリエステルなど、従来の歯ブラシの毛と同様の高分子素材とすることができる。
毛１の太さは、従来の歯ブラシと同様、直径０．１〜０．３５ｍｍが好適である。
【００１２】
研磨材は、ガーネット、アメシスト、アクアマリン、ダイヤモンド、エメラルド、ムーンストーン、ルビー、ペリドット、サファイア、オパール、トパーズ、ターコイズなどの貴石の他、セラミックスやシリカなどの粒子も使用できる。
研磨材のモース硬度は５〜１０が適当である。
研磨材粒子の粒径は、１０〜１００μｍが好適で、かつ、毛の直径の１／３以下とするのがよい。
研磨材粒子の量は、１〜１０体積％程度が適当である。
【００１３】
毛１を製造するには、ナイロン、アセチル樹脂、ポリエステルなどの基材に研磨材粒子を混ぜ込み、分散させる。
必要に応じて希釈剤、分散剤、カップリング剤などの添加剤を加え、研磨材粒子が基材液中に懸濁状態となるようにする。
分散剤としては、ステアリン酸系分散剤（ステアリン酸マグネシウムなど）、シリコーンオイルなどを使用できる。
カップリング剤としては、例えば、クロロプロピルシランなどのシラン系カップリング剤を使用できる。
このように調合した基材を押出成形することで、図１に示すような、多数の研磨材粒子３が混入した毛１を得ることができる。
【００１４】
図２は、本考案の歯ブラシに使用する毛２の断面図である。
毛２は、その表面に多数の研磨材粒子３を接着剤を介して付着させたものである。
毛２の本体は、従来の歯ブラシに使用されているものでよく、馬毛、豚毛などの天然素材や、ナイロン、アセチル樹脂、ポリエステルなどの高分子素材のものを使用できる。
【００１５】
研磨材粒子は、前記の毛１の場合と同様のものを用いることができる。
【００１６】
毛２を製造するには、毛の周囲に、研磨材粒子を懸濁状態で分散させた接着剤をコーティングすればよい。コーティング方法は、ディッピングなど任意である。
接着剤は、アクリル系接着剤、α−オレフィン系接着剤、ウレタン樹脂系接着剤、エポキシ樹脂系接着剤などを用いることができる。これら接着剤に研磨材粒子を混入し、必要に応じて希釈剤、分散剤、カップリング剤などの添加剤を加え、コーティング液を調製する。
【００１７】
図３は実施例の歯ブラシＡの要部側面図、図４は同じく要部平面図である。
歯ブラシＡは、手動の歯ブラシで、細長い柄５の先端に多数の毛が複数の毛束６に分かれて植毛されている。
歯ブラシＡに使用する毛は、研磨材粒子を有する図１の毛１及び／又は図２の毛２である。
【００１８】
図５は実施例の電動歯ブラシＢ（振動式）の要部平面図である。
電動歯ブラシＢも、細長い柄５の先端に多数の毛が複数の毛束６に分かれて植毛されている。柄５の基端側は振動機構を有する本体に接続される。
この種の歯ブラシは、矢印Ｘに示すスライド方向に振動し、及び/又は、矢印Ｙに示す軸周り方向に振動する。
歯ブラシＢに使用する毛も、研磨材粒子を有する図１の毛１及び／又は図２の毛２である。
【００１９】
図６は実施例の電動歯ブラシＣ（回転式）の要部平面図である。
電動歯ブラシＣは、細長い柄５の先端の回転盤７に多数の毛が複数の毛束６に分かれて植毛されている。柄５の基端側は回転機構を有する本体に接続される。
この種の歯ブラシは、矢印Ｚに示すように回転盤７が回転する。
歯ブラシＣに使用する毛も、研磨材粒子を有する図１の毛１及び／又は図２の毛２である。
【００２０】
本考案の歯ブラシに使用する柄及び植毛の方法は、従来の歯ブラシと全く同様でよい。
【００２１】
植毛された毛の全部を研磨材粒子を有するもの（図１，２）としてもよいし、一部（例えば５０％）の毛を研磨材粒子を有するものとし、残りを研磨材粒子を有しない通常の毛としてもよい。
研磨材粒子を有する毛の割合を調整することで、歯を研磨する程度を調整することができる。
【００２２】
本考案の歯ブラシは、誕生石などの種々の色の異なる貴石研磨材を用いたものをラインアップし、柄の色も研磨材の色に合わせるなどして、美的趣向を添えることができる。また、研磨材の色によって使用者を識別することもできる。
【００２３】
本考案の歯ブラシは、研磨材付きの毛で歯を直接磨くものであるから、短時間で綺麗に歯垢やヤニを落とすことができる反面、歯を傷つけることも否めない。しかし、アパタイト、カルシウムイオン、フッ素などを含有する歯磨き剤を併用することで、歯を傷つけるリスクを軽減できる。
【符号の説明】
【００２４】
１  毛
２  毛
３  研磨材粒子
４  接着剤
５  柄
６  毛束
７  回転盤
Ａ  歯ブラシ
Ｂ，Ｃ  電動歯ブラシ
【図１】
0003154000.tif 000003
【図２】
0003154000.tif 000004
【図３】
0003154000.tif 000005
【図４】
0003154000.tif 000006
【図５】
0003154000.tif 000007
【図６】
0003154000.tif 000008